(57)【要約】      （修正有）【課題】簡単な操作で確実に下半身用外衣の裾汚れを防止し、種々の形状や素材に対応することができる裾汚れ防止セット及び下半身用外衣を提供する。【解決手段】左右に内股縫目を有する下半身用外衣の裾部の汚れを防止するのに用いる下半身用外衣１の裾汚れ防止セットであって、該下半身用外衣の裏側における左右の内股縫目に沿って設けられる紐体２と、左右の内股縫目に沿って設けられた連続的又は間欠的通路を構成し、前記紐体の少なくとも一部が挿通されるパイピングとから成る。前記紐体２の長さは、該紐体の一端が、裾部１２乃至膝部の一部に止着され、該紐体の他端が、少なくとも股部にまで達し、その端部が下半身用外衣の裏側に露出することができる長さであり、前記他端側の露出紐体２２ａを引くと、前記一端側の紐体が止着された止着部２１ａが引っ張られることで、左右の裾部が引き上げられ、地面や床への接触による下半身用外衣の裾部の汚れを防止する構成である。【選択図】図１
0003179338.tif 000002
【実用新案登録請求の範囲】
【請求項１】
左右に内股縫目を有する下半身用外衣の裾部の汚れを防止するのに用いる下半身用外衣の裾汚れ防止セットであって、
該下半身用外衣の裏側における左右の内股縫目に沿って設けられる紐体と、
左右の内股縫目に沿って設けられた連続的又は間欠的通路を構成し、前記紐体の少なくとも一部が挿通されるパイピングとから成り、
前記紐体の長さは、
該紐体の一端が、裾部乃至膝部の一部に止着され、
該紐体の他端が、少なくとも股部にまで達し、その端部が下半身用外衣の裏側に露出することができる長さであり、
前記他端側の露出紐体を引くと、前記一端側の紐体が止着された止着部が引っ張られることで、左右の裾部が引き上げられ、
地面や床への接触による下半身用外衣の裾部の汚れを防止する構成であることを特徴とする下半身用外衣の裾汚れ防止セット。
【請求項２】
左右に内股縫目を有する下半身用外衣の裾部の汚れを防止する下半身用外衣において、
該下半身用外衣の裏側における左右の内股縫目に沿って紐体が設けられ、
前記紐体は、少なくとも一部が、左右の内股縫目に沿って設けられた連続的又は間欠的通路を構成するパイピングに挿通され、
該紐体の一端は、裾部乃至膝部の一部に止着され、
該紐体の他端は、少なくとも股部にまで達し、その端部が下半身用外衣の裏側に露出しており、
前記他端側の露出紐体を引くと、前記一端側の紐体が止着された止着部が引っ張られることで、左右の裾部が引き上げられ、
地面や床への接触による裾部の汚れを防止する構成であることを特徴とする裾汚れ防止可能な下半身用外衣。
【請求項３】
パイピングが、止着部から股部に至る全面にわたって設けられ、該パイピングに紐体が挿通されていることを特徴とする請求項２に記載の裾汚れ防止可能な下半身用外衣。
【請求項４】
紐体の全長が、裾上げの際に引き上げられる露出紐体を、下半身用外衣の後側から腰部を越えて、股部をくぐらせ、下半身用外衣の前側に持ってくることができる長さであることを特徴とする請求項２又は３に記載の裾汚れ防止可能な下半身用外衣。
【請求項５】
下半身用外衣の股部より上方に係止部が設けられ、他端側の露出紐体を係止可能な構成であることを特徴とする請求項２〜４のいずれかに記載の裾汚れ防止可能な下半身用外衣。
【請求項６】
他端側の露出紐体の端部に被係止部が設けられ、下半身用外衣の股部より上方に設けられた係止部と係止可能な構成であることを特徴とする請求項５に記載の裾汚れ防止可能な下半身用外衣。
【請求項７】
係止部及び被係止部が、一対の面ファスナーであることを特徴とする請求項６に記載の裾汚れ防止可能な下半身用外衣。
【請求項８】
下半身用外衣の裏側に裏地が設けられ、この裏地内に紐体が収容される構成であることを特徴とする請求項２〜７のいずれかに記載の裾汚れ防止可能な下半身用外衣。
【請求項９】
他端側の紐体が、腰部にまで至って露出していることを特徴とする請求項２〜８のいず
れかに記載の裾汚れ防止可能な下半身用外衣。
【考案の詳細な説明】
【技術分野】
【０００１】
本考案は、下半身用外衣に関し、詳しくは、便所で用を足すのに際して下半身用外衣を下ろしたとしても、地面や床面に裾が接触することによる裾汚れを防止することが可能な下半身用外衣の裾汚れ防止セット及びこれを用いた下半身用外衣に関する。
【背景技術】
【０００２】
便所で用を足すために、下半身用外衣（例えば、ズボン。）を下ろした際に、裾が便所の床面に接触して汚れることがある。
このような場合に、下半身用外衣の裾が汚れることを防止する手段として、次のような技術が提案されている。
【０００３】
特許文献１に記載の技術は、下着の後側の上縁のウエストゴムの縫い合せ部に添ってループ状の紐を取付け、かつ該下着の上縁の前側外面に前記ループ状の紐の先端部を掛け止めし得るＵ型状フックを取付けて構成した裾上げ及び汚れ防止用下着である。
この技術は、下着の後側上部に所定の長さの紐またはテープを取付けて構成したので、便所で用便するに当っては、下着後側の紐またはテープを内股にくぐらせながら下着の前側に持って来て、下着の上に着用したズボン、パンツ等のボタン、ホック等の係止具に係止することによって、前記下着のほぼ中央部及びズボン、パンツ等を絞り込み、これ等を着用した人のももに密着させて、その摩擦によってこれ等の下着等がずり落ちないようにすることが出来る。
【０００４】
しかし、特許文献１に記載の技術は、下着の機能に依存しているため、裾上げが不確実又は不十分であり、特に、着用している下半身用外衣の形状や素材等によっては、裾上げの不確実さと不十分さが顕著となり、下半身用外衣の裾汚れを十分に防止できないという問題があった。
【０００５】
特許文献２に記載の技術は、裾部分もしくは膝部分の内側の個所に一方の端を止着した輪状の伸縮自在紐と、当該輪状伸縮自在紐の他方端部分に抜け外れ不能として通した引き絞り玉と、を備えている下半身用外衣である。
この技術を採用することによって、裾口から片方の手を挿入してゴム紐の径を大きくしつつ、他方の手で裾の前裾部分を摘んで同前裾部分をゴム紐の中に通し、この通した後に、他方の手で引き絞り玉を軽く引き絞り、裾の前部分を束ねた状態とすることができ、このようにしてから便所でしゃがんだり、座ったりすれば、下半身用外衣の裾部を汚す心配がない。
【０００６】
しかし、特許文献２に記載の技術は、このような裾上げ作業は煩雑かつ面倒で、裾上げ作業時に前屈みになる必要もあるため、特に老人や身体が不自由である者には裾上げが困難であり、また、裾の前部分を束ねた箇所が解け易いとう問題があった。
【先行技術文献】
【特許文献】
【０００７】
【特許文献１】特開２００２−０６１００１
【特許文献２】実開平５−０３５８２２
【考案の開示】
【考案が解決しようとする課題】
【０００８】
そこで、本考案の課題は、簡単な操作で確実に下半身用外衣の裾汚れを防止し、種々の形状や素材によって作製されている外衣にも対応することができる下半身用外衣の裾汚れ防止セット及び裾汚れ防止可能な下半身用外衣を提供することにある。
【課題を解決するための手段】
【０００９】
上記課題を解決する本考案は、下記構成を有する。
１．左右に内股縫目を有する下半身用外衣の裾部の汚れを防止するのに用いる下半身用外衣の裾汚れ防止セットであって、
該下半身用外衣の裏側における左右の内股縫目に沿って設けられる紐体と、
左右の内股縫目に沿って設けられた連続的又は間欠的通路を構成し、前記紐体の少なくとも一部が挿通されるパイピングとから成り、
前記紐体の長さは、
該紐体の一端が、裾部乃至膝部の一部に止着され、
該紐体の他端が、少なくとも股部にまで達し、その端部が下半身用外衣の裏側に露出することができる長さであり、
前記他端側の露出紐体を引くと、前記一端側の紐体が止着された止着部が引っ張られることで、左右の裾部が引き上げられ、
地面や床への接触による下半身用外衣の裾部の汚れを防止する構成であることを特徴とする下半身用外衣の裾汚れ防止セット。
【００１０】
２．左右に内股縫目を有する下半身用外衣の裾部の汚れを防止する下半身用外衣において、
該下半身用外衣の裏側における左右の内股縫目に沿って紐体が設けられ、
前記紐体は、少なくとも一部が、左右の内股縫目に沿って設けられた連続的又は間欠的通路を構成するパイピングに挿通され、
該紐体の一端は、裾部乃至膝部の一部に止着され、
該紐体の他端は、少なくとも股部にまで達し、その端部が下半身用外衣の裏側に露出しており、
前記他端側の露出紐体を引くと、前記一端側の紐体が止着された止着部が引っ張られることで、左右の裾部が引き上げられ、
地面や床への接触による裾部の汚れを防止する構成であることを特徴とする裾汚れ防止可能な下半身用外衣。
【００１１】
３．パイピングが、止着部から股部に至る全面にわたって設けられ、該パイピングに紐体が挿通されていることを特徴とする前記２に記載の裾汚れ防止可能な下半身用外衣。
【００１２】
４．紐体の全長が、裾上げの際に引き上げられる露出紐体を、下半身用外衣の後側から腰部を越えて、股部をくぐらせ、下半身用外衣の前側に持ってくることができる長さであることを特徴とする前記２又は３に記載の裾汚れ防止可能な下半身用外衣。
【００１３】
５．下半身用外衣の股部より上方に係止部が設けられ、他端側の露出紐体を係止可能な構成であることを特徴とする前記２〜４のいずれかに記載の裾汚れ防止可能な下半身用外衣。
【００１４】
６．他端側の露出紐体の端部に被係止部が設けられ、下半身用外衣の股部より上方に設けられた係止部と係止可能な構成であることを特徴とする前記５に記載の裾汚れ防止可能な下半身用外衣。
【００１５】
７．係止部及び被係止部が、一対の面ファスナーであることを特徴とする前記６に記載の裾汚れ防止可能な下半身用外衣。
【００１６】
８．下半身用外衣の裏側に裏地が設けられ、この裏地内に紐体が収容される構成であることを特徴とする前記２〜７のいずれかに記載の裾汚れ防止可能な下半身用外衣。
【００１７】
９．他端側の紐体が、腰部にまで至って露出していることを特徴とする前記２〜８のいずれかに記載の裾汚れ防止可能な下半身用外衣。
【考案の効果】
【００１８】
前記１に示す考案によれば、この裾汚れ防止セットを下半身用外衣に取り付けることによって、他端側の露出紐体を引くと、下半身用外衣の裾部乃至膝部に設けられ、一端側の紐体が止着された止着部が引っ張られ、これによって左右の裾部が引き上げられるので、簡単な作業で確実に下半身用外衣の裾上げをすることができ、地面や床への接触による裾部の汚れを防止することができる。
また、紐体は、少なくとも一部がパイピングに挿通されており、裾の上げ下げ作業を繰り返しても、紐体が絡まり合うことを防止することができる。
【００１９】
前記２に示す考案によれば、他端側の露出紐体を引くと、下半身用外衣の裾部乃至膝部に設けられ、一端側の紐体が止着された止着部が引っ張られ、これによって左右の裾部が引き上げられるので、簡単な作業で確実に下半身用外衣の裾上げをすることができ、地面や床への接触による裾部の汚れを防止することができる。
また、紐体は、少なくとも一部がパイピングに挿通されており、裾の上げ下げ作業を繰り返しても、紐体が絡まり合うことを防止することができる。
【００２０】
前記３に示す考案によれば、紐体が着用者に直接触れることがなく、一般的な下半身用外衣と同様の着心地を得ることができる。
【００２１】
前記４に示す考案によれば、露出紐体を十分に引いた状態で維持することができ、裾上げ状態を維持することができる共に、露出紐体で下半身用外衣の股部から腰部にかけてを絞り込むことができ、下半身用外衣を下ろした状態で便器に腰掛けたとしても、下半身用外衣がずり落ちることを防ぐことができる。
【００２２】
前記５に示す考案によれば、他端側の露出紐体を引いて、裾部を引き上げた後、当該露出紐体を係止部に係止することで、裾上げ状態を確実に維持することができる。
【００２３】
前記６に示す考案によれば、他端側の露出紐体の端部に被係止部が設けられているので、下半身用外衣に設けられた係止部と係止することで、簡単に裾上げ状態を維持することができる。
【００２４】
前記７に示す考案によれば、係止部と被係止部とが、一対の面ファスナーによって構成されているので、他端側の露出紐体の係止が簡単であり、より確実に裾上げ状態を維持することができる。
【００２５】
前記８に示す考案によれば、下半身用外衣に裏地が設けられ、この裏地の中に紐体を収容することで、紐体が着用者に直接触れることがなく、一般的な下半身用外衣と同様の着心地を得ることができる。
【００２６】
前記９に示す考案によれば、他端側の紐体が腰部にまで至って露出しているので、下半身用外衣を下ろさなくても、他端側の露出紐体を引き、裾上げをすることができ、例え着用状態のままでも、地面や床への接触による裾部の汚れを防止することができる。
【図面の簡単な説明】
【００２７】
【図１】紐体を引き上げることによって裾上げがされる様子を表す正面図
【図２】本考案に係る下半身用外衣の一実施例を裏返した状態を表す一部拡大説明図
【図３】止着部が膝部に設けられた実施例を表す正面図
【図４】本考案に係る下半身用外衣の他の実施例を表す説明図
【図５】本考案に係る下半身用外衣の他の実施例を表す説明図
【図６】係止部及び被係止部を表す後方斜視図
【図７】紐体を股部にくぐらせる様子を表す前方斜視図
【考案を実施するための最良の形態】
【００２８】
本考案に係る下半身用外衣の裾汚れ防止セットは、地面や床面に接触することで下半身用外衣の裾部が汚れることを防止するために、下半身用外衣に取り付けて使用することができる裾汚れ防止セットであって、特に、便所で用を足すために、下半身用外衣を下ろした際に、裾部が便所の床面に接触して汚れることを防止するための裾汚れ防止セットである。
また、本考案に係る裾汚れ防止可能な下半身用外衣は、地面や床面に接触することで裾部が汚れることを防止するための下半身用外衣であって、特に、便所で用を足すために、下半身用外衣を下ろした際に、裾部が便所の床面に接触して汚れることを防止するための裾汚れ防止可能な下半身用外衣である。
【００２９】
本考案において、下半身用外衣とは、人が下半身に身につける外衣を指し示し、例えば、ズボン、パンツ、スラックス又はキュロット等のボトムス全般を指し示す用語であり、本考案においては如何なる形態のボトムスも下半身用外衣に含むものとする。
【００３０】
本考案に係る下半身用外衣の裾汚れ防止セット及び裾汚れ防止可能な下半身用外衣について、図面に従って説明する。
図１は、本考案に係る裾汚れ防止可能な下半身用外衣１（以下、単に「下半身用外衣１」ともいう。）の正面図であって、紐体２を引き上げることによって裾上げがされる様子を表す正面図である。本考案に係る下半身用外衣１は、図１（ａ）に示す通常の状態から、図１（ｂ）に示す裾上げされた状態に簡単な操作で確実にすることができ、この裾上げ状態を維持することによって、地面や床面に接触することで裾部が汚れることを防止することができる。
【００３１】
本考案に係る下半身用外衣の裾汚れ防止セット（以下、単に「裾汚れ防止セット」ともいう。）は、以下に説明する紐体２及びパイピング３から構成される。
この裾汚れ防止セットは、図１に示されるように、下半身用外衣に取り付けて使用されるものであり、本考案に係る下半身用外衣１のうち、紐体２及びパイピング３のみを取り出したものをいい、換言すれば、この裾汚れ防止セットを下半身用外衣に取り付けたものが、本考案に係る下半身用外衣１である。そのため、この裾汚れ防止セットについての構成は、本考案に係る下半身用外衣１の構成部材である紐体２及びパイピング３についての構成と同様である。
【００３２】
図２は、本考案に係る下半身用外衣１の一実施例を表す説明図であって、下半身用外衣１を裏返しにした状態を表わしており、本考案の理解を助けるため、左足側（向かって右側）の内股縫目１１が正面になるように捻られた状態で表わされている。
【００３３】
図２に表わされるように、下半身用外衣１は、左右両足に内股縫目１１を有しており、下半身用外衣１の裏側における内股縫目１１に沿って紐体２が設けられている。また、下半身用外衣１の裏側における内股縫目１１には、パイピング３が設けられており、このパイピング３に紐体２が挿通されている。
【００３４】
下半身用外衣１の各部名称は、図２に示すとおり、下から裾部１２、膝部１３、股部１４、腰部１５と呼称することとし、それぞれ一点を指し示すのではなく、その近傍を指し示す用語である。
【００３５】
紐体２は、前記のとおり、下半身用外衣１の裏側における内股縫目１１に沿って設けられている。
紐体２の一端は、裾部１２から膝部１３にかけての何処かに止着されている。裾部１２から膝部１３にかけて止着されている紐体の一端を一端側２１といい、止着されている箇所を止着部２１ａという。図２において、止着部２１ａは、裾部１２の折り返しに挟まれるように形成されているが、膝部１３近傍に形成されてもよいし、裾部１２上と膝部１３下との間の何処かに形成されてもよい。
【００３６】
特に、図３に示すように、膝部１３近傍に止着部２１ａを形成したとしても、膝部１３の引き上げによって、裾部１２を必要かつ充分に引き上げることができるだけでなく、本考案に係る下半身用外衣１を、既製の外衣に適用する場合を含めて、製作の容易性とコストの点でも有益である。
【００３７】
止着部２１ａは、前記のとおり、裾部１２から膝部１３にかけての何処かに設けられるが、下半身用外衣１と紐体２とを止着する手段に限定はなく、例えば、股下縫目１１に縫い付けるなど、縫着や接着等という公知公用の止着手段を採用することができる。
【００３８】
紐体２の他端は、少なくとも股部１４にまで達している。この少なくとも股部１４にまで達している紐体の他端を他端側２２という。他端側２２の端部は、下半身用外衣１の裏側に露出しており、この露出した他端側２２の紐体２を露出紐体２２ａという。露出紐体２２ａは、着用時においては、指で摘まめる程度の僅かな長さが露出していればよい。また、露出紐体２２ａの端部には、露出紐体２２ａがパイピング３の中に入り込んでしまうことを防止するため、紐体２よりも太く形成された摘まみ片２２ｂが形成されていることが好ましい。更にまた、同じく露出紐体２２ａがパイピング３の中に入り込んでしまうことを防止するため、左右の露出紐体２２ａが端部付近で結合されていることが好ましい。
【００３９】
本考案における紐体２は、繊維を束ねたものの他、小伸縮のゴム紐、ナイロン紐等を用いることができ、公知公用の紐状物を特別の制限なく採用することができる。紐体２は、止着部２１ａを引っ張ることで裾部１２を引き上げるものであるため、伸縮性を有さないか、又は伸縮長さが小さいものが好ましい。
【００４０】
パイピング３は、図２に示すとおり、下半身用外衣１の裏側における内股縫目１１に沿って設けられている。図２に示す内股縫目１１は、前身頃と後身頃の端部をそれぞれ折り返して縫い合わせた例であるので、この折り返し部分にパイピング３を縫い合わせてある。
パイピング３は、紐体２が挿通されるパイプ状の形態である。紐体２の他端側２２の開口をパイピング上端３１といい、紐体２の一端側２１の開口をパイピング下端３２という。
【００４１】
図２に示すように、紐体２の他端側２２が股部１４にまで達している場合は、パイピング上端３１も股部１４にまで達している。
これに対して、パイピング下端３２は、紐体２の一端側２１の端部（止着部２１ａに相当する。）にまで達している必要はなく、図２における裾部１２近傍の部分拡大図に示すように、パイピング３が、止着部２１ａの手前までしか形成されていなくてもよい。
【００４２】
パイピング３は、止着部２１ａから股部１４にかけて連続的な通路を構成した形態（図２）であってもよいし、間欠的な通路を構成した形態（図４）であってもよい。即ち、パイピング３が連続的に設けられている場合は、左右の内股縫目１１の裏側にそれぞれ１本のパイピング３が設けられ、パイピング３が間欠的に設けられている場合は、左右の内股縫目１１の裏側にそれぞれ２本以上のパイピング３が設けられることになる。
【００４３】
図４は、下半身用外衣１の他の実施例を示す説明図であって、図２と同様に、下半身用外衣１を裏返しにした状態を表した図であり、片足の裾部１２から股部１４の手前までを表わし、これより上方については図示を省略している。
図４に示すように、パイピング３が間欠的に設けられている場合は、裏地１６が設けられていることが好ましい。この場合、紐体２とパイピング３は、下半身用外衣１の表地と裏地１６との間に挟まれている態様となり、着用者に紐体２が直接触れることを防ぐことができ、一般的な下半身用外衣と同様の着心地を得ることができる。
【００４４】
パイピング３の材質に限定はないが、布地等の柔軟な素材で形成されることが好ましい。
また、パイピング３を内股縫目１１に止着する手段に限定はなく、例えば、内股縫目１１に縫い付けるなど、縫着や接着という公知公用の止着手段を採用することができる。
【００４５】
図２及び図４は、内股縫目１１が、前身頃と後身頃の端部をそれぞれ折り返して縫い合わせた例を表わされており、パイピング３は、内股縫目１１のそれぞれの折り返し部分の表側に止着されているが、パイピング３を止着する箇所はこれに限定されるものではなく、内股縫目１１に沿って設けられていればよい。
例えば、図５は、内股縫目１１の片方の折り返し部分の裏側に止着した例であり、即ち、この折り返し部分と表地とに挟まれるようにパイピング３を止着した例である。尚、図５においては、パイピングを設ける位置を見易くする他、紐体２の図示を省略している。
【００４６】
ここで、本考案に係る下半身用外衣１の基本的な使用方法について説明する。
図１及び図３は、下半身用外衣１の正面図であり、内に隠れる紐体２を破線で示しているが、パイピング３は、紐体２を見易くするために省略する。尚、図１は、裾部１２に紐体２の止着部２１ａが設けられた場合を示しており、図３においては、膝部１３近傍に紐体２の止着部２１ａが設けられた場合を示している。
着用時における下半身用外衣１は、図１（ａ）に示すように、紐体２及びパイピング３が、内股縫目１１に沿って伸びている状態であり、他端側２２の露出紐体２２ａが股部１４の裏側に露出している。止着部２１ａが膝部１３近傍に設けられた場合も、図３（ａ）に示すように、体２及びパイピング３が、内股縫目１１に沿って伸びている状態であり、他端側２２の露出紐体２２ａが股部１４の裏側に露出している。
【００４７】
次に、便所において用を足す際に、下半身用外衣１を下ろす場合には、下半身用外衣１を股の辺りまで下げた後、露出紐体２２ａを引くと、図１（ｂ）に示すように、止着部２１ａが引っ張られて裾部１２が引き上げられる。この裾部１２が引き上げられた状態（以下、「裾上げ状態」ともいう。）を維持しつつ、便座に腰を下ろして用を足すことで、裾部１２が便所の床面等に接触することがなく、裾部１２が汚れることを防止することができる。
一方、図３に示すように、止着部２１ａが、膝部１３近傍に設けられている場合は、図１（ｂ）中の裾部１２と膝部１３との間の縮みが、図３（ｂ）に示すように、膝部１３と股部１４との間に表れ、裾部１２が引き上げられることになる。
【００４８】
引かれた状態の露出紐体２２ａは、着用者が手で引いていてもよいが、少なくとも片手が使えなくなり、不自由である。そこで、例えば、股部１４近傍で、左右の露出紐体２２
ａを結わくか縛るかすることで、露出紐体２２ａは引かれた状態で保持され、裾上げ状態も維持される。
【００４９】
本考案に係る下半身用外衣１は、上記のような方法で使用することができるが、簡単かつ確実に裾上げ状態を維持するため、以下の構成を採用することができる。
【００５０】
下半身用外衣１には、露出紐体２２ａを係止するための係止部１７が設けられることが好ましい。露出紐体２２ａを引いた状態で、この係止部１７に係止することで、裾上げ状態を維持することができる。係止部１７は、下半身用外衣１の股部１４よりも上方に設けられ、例えば、図６に示すように、腰部１５に設けることができる。尚、図６は、下半身用外衣１を後方から観察した場合における斜視図であり、下半部の図示を省略したものである。
【００５１】
係止部１７は、種々の形態を採用することができる。例えば、クリップ型の形態を採用すれば、露出紐体２２ａの端部又は端部以外の露出部分を引っ掛け、挟持することで固定することができる。
【００５２】
紐体２の他端側２２の露出紐体２２ａの端部には、図６に示すように、被係止部２２ｃが設けられることが好ましい。この被係止部２２ｃと、下半身用外衣１に設けられた係止部１７とが、係止可能に構成され、露出紐体２２ａを引いた状態で、係止部１７と被係止部２２ｃとを係止することで、裾上げ状態を維持することができる。
被係止部２２ｃは、露出紐体２２ａに摘まみ片２２ｂを設けた場合は、この摘まみ片２２ｂに設けられることが好ましい。
【００５３】
被係止部２２ｃの形態は、係止部１７に係止可能な形態であればよく、係止部１７と被係止部２２ｃの組み合わせとして公知公用の技術を特別の制限なく採用することができる。例えば、係止部１７と被係止部２２ｃとして、面ファスナーを採用してもよいし、スナップボタンを採用してもよい。特に、面ファスナーを採用することで、柔軟素材によって形成することが可能であり、係止部１７と被係止部２２ｃとを設けたことによる着用感の低下を最低限に止めることができるので好ましい。
【００５４】
ここで、本考案に係る下半身用外衣１が、係止部１７又は被係止部２２ｃを有する構成である場合の使用方法について、図１（以下、止着部２１ａが膝部１３近傍に設けられた場合は図３を参照。）及び図７に従って説明する。尚、図７は、下半身用外衣１の前方から観察した場合の斜視図であって、下半部の図示を省略したものである。
【００５５】
上記基本的な使用方法と同様に、便所において用を足す際に、下半身用外衣１を下ろす場合には、下半身用外衣１を股の辺りまで下げた後、露出紐体２２ａを引くと、図１（ｂ）に示すように、止着部２１ａが引っ張られて裾部１２が引き上げられる。
次に、露出紐体２２ａを、下半身用外衣１に設けられた係止部１７に係止することで、露出紐体２２ａが引かれた状態で保持され、同時に、裾上げ状態も維持される。
【００５６】
しかし、下半身用外衣１を下ろした状態においては、股部１４と腰部１５は引き寄せられるので、露出紐体２２ａの端部を係止部１７に係止したとしても、露出紐体２２ａの長さが不十分であり、裾上げも不十分になる。
【００５７】
そこで、図７（ａ）に示すように、露出紐体２２ａを、下半身用外衣１の後側から腰部１５を越え、股部１４をくぐらせ、下半身用外衣１の前側に持ってきた上で、係止部１７に係止することが好ましい。これにより、露出紐体２２ａが、下半身用外衣１の股部１４から腰部１５にかけて一周することになり、露出紐体２２ａの長さが十分となることから
、裾上げも十分になる。さらに、露出紐体２２ａで、下半身用外衣１の股部１４から腰部１５にかけてを絞り込む態様（図７（ｂ）に示される状態）になり、下半身用外衣１を下ろした状態で便器に腰掛けたとしても、下半身用外衣１がずり落ちることをも防止することができる。
【００５８】
本考案に係る裾汚れ防止可能な下半身用外衣１の他の実施例について説明する。
前記のとおり、紐体２の他端側２２は、少なくとも股部１４にまで達しているが、股部１４よりも上方にまで至っていてもよい。例えば、紐体２の他端側２２と、パイピング上端３１とが、腰部１５にまで達していてもよい。紐体２の他端側２２とパイピング３１とが、腰部１５にまで達していることによって、下半身用外衣１を下ろさなくても露出紐体２２ａの操作が可能であり、裾上げも可能となる。
【００５９】
紐体２の他端側２２とパイピング上端３１が、腰部１５にまで達している場合、この他端側の紐体２が露出する箇所は、腰部１５における全周方向の何処でもよいが、露出紐体２２ａの操作性を考慮すると、背中側ではなく腹側の何処かに設けられることが好ましい。更に、左右の紐体２の長さを均一にして操作性をよくするために、他端側の紐体２が露出する箇所が腹部の中心に設けられることがより好ましい。
【００６０】
また、下半身用外衣１は、着用者が脱ぎ着し易いように、腰部１５にファスナー等の留め具が設けられることが一般的であるが、腰部１５における他端側の紐体２が露出する箇所は、この留め具が設けられている箇所と重複しないように設けられることが好ましい。例えば、他端側の紐体２が露出する箇所が腹部の中心に設けられている場合は、ファスナー等の留め具が背中側や側部に設けられることが好ましい。
【００６１】
前述したが、本考案に係る下半身用外衣の裾汚れ防止セットは、裾汚れ防止可能な下半身用外衣１のうち、紐体２及びパイピング３を下半身用外衣に装着する前の態様である。
本考案に係る下半身用外衣の裾汚れ防止セットは、下半身用外衣の裏側における左右の内股縫目１１に沿って設けられる紐体２と、左右の内股縫目１１に沿って設けられた連続的又は間欠的通路を構成し、紐体２の少なくとも一部が挿通されるパイピング３とから構成される。
【００６２】
本考案に係る裾汚れ防止セットにおける紐体２の長さは、紐体２の一端が、裾部１２乃至膝部１３の一部に止着され、紐体２の他端が、少なくとも股部１４にまで達し、その端部が下半身用外衣の裏側に露出することができる長さである。
本考案に係る裾汚れ防止セットを、下半身用外衣に装着した状態において、他端側２２の露出紐体２２ａを引くと、一端側２１の紐体２が止着された止着部２１ａが引っ張られることで、左右の裾部１２が引き上げられる構成である。
【００６３】
本考案に係る裾汚れ防止セットにおける紐体２の一端側２１を、下半身用外衣の裾部１２乃至膝部１３の一部に止着する手段に限定はなく、例えば、裾部１２の裏側に縫い付けるなど、縫着や接着という公知公用の止着手段を採用することができる。
本考案に係る裾汚れ防止セットにおけるパイピング３を、下半身用外衣の内股縫目１１に取り付ける（止着する）手段に限定はなく、例えば、内股縫目１１に縫い付けるなど、縫着や接着という公知公用の止着手段を採用することができる。
【符号の説明】
【００６４】
１  裾汚れ防止可能な下半身用外衣
１１  内股縫目
１２  裾部
１３  膝部
１４  股部
１５  腰部
１６  裏地
１７  係止部
２  紐体
２１  一端側
２１ａ  止着部
２２  他端側
２２ａ  露出紐体
２２ｂ  摘まみ片
２２ｃ  被係止部
３  パイピング
３１  パイピング上端
３２  パイピング下端
【図１】
0003179338.tif 000003
【図２】
0003179338.tif 000004
【図３】
0003179338.tif 000005
【図４】
0003179338.tif 000006
【図５】
0003179338.tif 000007
【図６】
0003179338.tif 000008
【図７】
0003179338.tif 000009